(57)【要約】【課題】  ツールバーの利便性や機動性を向上させ、情報提供者が利用者を提供したい情報へ誘導し、、利用者が表示要求する動向などを把握することができるツールバー構成情報提供サーバーを提供することである。【解決手段】  上記の課題を解決するため、本発明は、利用者端末を利用する利用者の利用者識別ＩＤ、及び利用者の属性を記憶した利用者情報データベースと、利用者毎に表示するツールバー配置情報を記憶した利用者ツールバー配置情報データベースと、利用者毎のツールバー配置情報の各部分情報を記憶したツールバー構成情報データベースと、利用者端末から利用者識別ＩＤを受信し、利用者ツールバー配置情報データベースとツールバー構成情報データベースからツールバー配置情報及びツールバー構成情報を抽出するツールバー構成情報抽出手段と、ツールバー構成情報抽出手段で抽出されたツールバー配置情報及びツールバー構成情報を利用者端末へ送信するツールバー構成情報送信手段とを有する構成とされる。【選択図】  図１
2005215781.tif 000002
【特許請求の範囲】
【請求項１】
複数の情報と関連付けられたリンク情報で構成されるツールバーに関する情報を利用者端末へ提供するツールバー構成情報提供サーバであって、
上記利用者端末を利用する利用者の利用者識別ＩＤ、及び利用者の属性を記憶した利用者情報データベースと、
上記利用者毎に表示するツールバー配置情報を記憶した利用者ツールバー配置情報データベースと、
上記利用者毎の上記ツールバー配置情報の各部分情報を記憶したツールバー構成情報データベースと、
上記利用者端末から上記利用者識別ＩＤを受信し、上記利用者ツールバー配置情報データベースと上記ツールバー構成情報データベースから上記ツールバー配置情報及び上記ツールバー構成情報を抽出するツールバー構成情報抽出手段と、
上記ツールバー構成情報抽出手段で抽出された上記ツールバー配置情報及び上記ツールバー構成情報を当該利用者端末へ送信するツールバー構成情報送信手段とを有することを特徴とするツールバー構成情報提供サーバ。
【請求項２】
上記ツールバー構成情報抽出手段は、上記利用者端末から上記ツールバー構成情報の識別ＩＤを受信することを特徴とする請求項１記載のツールバー構成情報提供サーバ。
【請求項３】
上記ツールバー構成情報抽出手段は、上記利用者端末から上記ツールバー配置情報の識別ＩＤを受信することを特徴とする請求項１又は２記載のツールバー構成情報提供サーバ。
【請求項４】
上記ツールバー構成情報抽出手段は、上記ツールバー配置情報、又は上記ツールバー構成情報に処理時刻、又は有効期間を設定することを特徴とする請求項１乃至３いずれか一項記載のツールバー構成情報提供サーバ。
【請求項５】
上記ツールバー構成情報は属性を持ち、
上記ツールバー構成情報抽出手段は、上記利用者の属性と上記ツールバー構成情報の属性によって選択抽出することを特徴とする請求項１乃至４いずれか一項記載のツールバー構成情報提供サーバ。
【請求項６】
ツールバー構成情報提供サーバと通信するＷｅｂブラウザプログラムにアドインするプログラムであって、
ツールーバー配置情報、又は上記ツールバー構成情報提供サーバから受信したツールバー配置情報を基に、画面にツールバーを配置する手順と、
上記ツールバー構成情報提供サーバから受信したツールバー構成情報で、当該ツールバーの表示位置に表示または指定された所在情報から情報を請求し、当該応答で受信した情報を所定の位置に表示するツールバー部分表示手順と、
利用者により個々の上記ツールバー部分を選択指示された情報または、当該位置に入力された情報を当該ツールバー構成情報が指定した所在情報に送信する送信手順とを有することを特徴とするプログラム。
【請求項７】
上記ツールバー部分表示手順は、上記ツールーバー配置情報、又は上記ツールバー構成情報に有効期間開始期日、又は有効期間終了期日の指定があるツールバー構成情報の有効期間を監視し、期間範囲内の場合、当該ツールーバー配置情報、又は当該ツールバー構成情報に指定した所在情報に更新情報を請求し、当該応答で受信した情報による画面の更新、又は当該ツールバー構成情報を更新する手順を有することを特徴とする請求項６記載のプログラム。
【請求項８】
複数の情報と関連付けられたリンク情報で構成されるツールバーに関する情報を利用者端末へ提供するツールバー構成情報提供方法であって、
上記利用者端末を利用する利用者の利用者識別ＩＤ、及び利用者の属性を管理する利用者情報管理手順と、
上記利用者毎に表示するツールバー配置情報を管理する利用者ツールバー配置情報管理手順と、
上記利用者毎の上記ツールバー配置情報の各部分情報を管理するツールバー構成情報管理手順と、
上記利用者端末から上記利用者識別ＩＤを受信し、上記利用者ツールバー配置情報管理手順と上記ツールバー構成情報管理手順により管理された所定の上記ツールバー配置情報及び上記ツールバー構成情報を抽出するツールバー構成情報抽出手順と、
上記ツールバー構成情報抽出手順で抽出された上記ツールバー配置情報及び上記ツールバー構成情報を当該利用者端末へ送信するツールバー構成情報送信手順とを有することを特徴とするツールバー構成情報提供方法。
【請求項９】
複数の情報と関連付けられたリンク情報で構成されるツールバーに関する情報を利用者端末へ提供するツールバー構成情報提供システムであって、
上記利用者端末を利用する利用者の利用者識別ＩＤ、及び利用者の属性を記憶した利用者情報データベースと、
上記利用者毎に表示するツールバー配置情報を記憶した利用者ツールバー配置情報データベースと、
上記利用者毎の上記ツールバー配置情報の各部分情報を記憶したツールバー構成情報データベースと、
上記利用者端末から上記利用者識別ＩＤを受信し、上記利用者ツールバー配置情報データベースと上記ツールバー構成情報データベースから上記ツールバー配置情報及び上記ツールバー構成情報を抽出するツールバー構成情報抽出手段と、
上記ツールバー構成情報抽出手段で抽出された上記ツールバー配置情報及び上記ツールバー構成情報を当該利用者端末へ送信するツールバー構成情報送信手段とを有することを特徴とするツールバー構成情報提供システム。
【発明の詳細な説明】
【技術分野】
【０００１】
本発明はツールバー構成情報提供サーバー及びその方法、ツールバー構成情報提供サーバーでの処理を実行させるためのプログラム、ツールバー構成情報提供システムに係り、特に、インターネットを介して複数の情報と関連付けられたリンク情報を有するツールバーを利用者端末に提供するツールバー構成情報提供サーバー及びその方法、ツールバー構成情報提供サーバーでの処理を実行させるためのプログラム、ツールバー構成情報提供システムに関する。
【背景技術】
【０００２】
従来、利用者はＰＣ等の端末を用いて、インターネットを介して多くの情報を閲覧している。例えば、情報を閲覧するためには、端末によりＷｅｂブラウザ等のソフトウェアを起動して利用者が閲覧したい情報を検索し、検索結果に基づいて、情報を提供するサーバーからサイトを取得している。また、その他の雑誌などに広告されたサイトの所在地を示すＵＲＬ（Ｕｎｉｆｏｒｍ  Ｒｅｓｏｕｒｃｅ  Ｌｏｃａｔｏｒ）をブラウザに入力し、そのＵＲＬのサイトを表示させて情報の閲覧を行っている。
【０００３】
また、ブラウザや所定のサイトでは、情報閲覧を効率良く行うため、即座に情報の概要が確認でき、複数の情報のＵＲＬが設定されたツールバーが用いられている。このツールバーを利用するためには、ツールバーを作成、管理しているサーバーからプログラムをダウンロードし、インストールする必要がある。また、このようなツールバーには、メニューを表示させる機能や、検索機能などを有するものがある。
【０００４】
また、従来技術として、ネットワーク上で接続された利用者端末に送信される文字情報及び画像情報には、ネットワーク上の所定のアドレスへのリンク情報が付加されていると共に、文字情報及び画像情報の中に音声情報への関連付けがされており、表示された文字情報及び画像情報の上にマウスを移動する等の利用者の行動に応じ、文字及び画像情報がその利用者の動作を感知して、文字及び画像情報をクリックしなくても音声情報を利用者端末に配信可能な情報配信システムが存在する（特許文献１）。
【特許文献１】特開２００２−７３５４５号公報
【発明の開示】
【発明が解決しようとする課題】
【０００５】
しかしながら、従来のツールバーは、バージョンアップされる毎にアンインストールし、再度インストールするなど、利用者自身が設定や管理をしなければならず手間がかかってしまい、利便性に欠けるという問題点があった。
【０００６】
また、従来のツールバーでは、利用者の興味を引いたり、情報提供者が利用者に提供したい情報へ利用者を誘導するようにツールバーの構成を変更することができず、機動性に欠けるという問題点があった。
【０００７】
また、利用者に関する利用者情報とツールバーとを関連付けて管理していない場合、利用者が表示要求する動向などを把握することができないという問題点があった。
【０００８】
また、ツールバーの各項目について利用状況を一括して管理できないという問題点があった。
【０００９】
そこで、本発明の課題は、ツールバーの利便性や機動性を向上させ、情報提供者が利用者を提供したい情報へ誘導し、利用者が表示要求する動向などを把握することができるツールバー構成情報提供サーバー及びその方法、ツールバー構成情報提供サーバーでの処理を実行させるためのプログラム、ツールバー構成情報提供システムを提供することである。
【課題を解決するための手段】
【００１０】
上記の課題を解決するため、本発明は、請求項１に記載されるように、複数の情報と関連付けられたリンク情報で構成されるツールバーに関する情報を利用者端末へ提供するツールバー構成情報提供サーバであって、上記利用者端末を利用する利用者の利用者識別ＩＤ、及び利用者の属性を記憶した利用者情報データベースと、上記利用者毎に表示するツールバー配置情報を記憶した利用者ツールバー配置情報データベースと、上記利用者毎の上記ツールバー配置情報の各部分情報を記憶したツールバー構成情報データベースと、上記利用者端末から上記利用者識別ＩＤを受信し、上記利用者ツールバー配置情報データベースと上記ツールバー構成情報データベースから上記ツールバー配置情報及び上記ツールバー構成情報を抽出するツールバー構成情報抽出手段と、上記ツールバー構成情報抽出手段で抽出された上記ツールバー配置情報及び上記ツールバー構成情報を当該利用者端末へ送信するツールバー構成情報送信手段とを有する構成とされる。
【００１１】
このようなツールバー構成情報提供サーバにおいて、利用者端末から利用者識別ＩＤを受信し、利用者ツールバー配置情報データベースとツールバー構成情報データベースからツールバー配置情報及びツールバー構成情報を抽出し、そのツールバー配置情報及びツールバー構成情報を利用者端末へ送信することにより、ツールバーの利便性や機動性を向上させ、情報提供者が利用者を提供したい情報へ誘導し、また利用者が表示要求する情報の傾向などを把握することができる。
【００１２】
また、上記の課題を解決するため、本発明は、請求項２に記載されるように、上記ツールバー構成情報抽出手段は、上記利用者端末から上記ツールバー構成情報の識別ＩＤを受信する構成としてもよい。
【００１３】
識別ＩＤには情報を提供する企業とサービスを識別するＩＤ、及びもしくは居住地などの情報提供エリアを識別するＩＤ、及びもしくは利用者がＷＥＢブラウザで現在閲覧しているＷＥＢサイトのＵＲＬ情報などが想定される。
【００１４】
このようなツールバー構成情報提供サーバにおいて、利用者端末からツールバー構成情報の識別ＩＤを受信することにより、ツールバーの利便性や機動性を向上させ、そのツールバーに関する情報を利用者に提供することができる。
【００１５】
また、上記の課題を解決するため、本発明は、請求項３に記載されるように、上記ツールバー構成情報抽出手段は、上記利用者端末から上記ツールバー配置情報の識別ＩＤを受信する構成としてもよい。
【００１６】
このようなツールバー構成情報提供サーバにおいて、利用者端末からツールバー配置情報の識別ＩＤを受信することにより、ツールバーの利便性や機動性を向上させ、そのツールバーに関する情報を利用者に提供することができる。
【００１７】
また、上記の課題を解決するため、本発明は、請求項４に記載されるように、上記ツールバー構成情報抽出手段は、上記ツールバー配置情報、又は上記ツールバー構成情報に処理時刻、又は有効期間を設定する構成としてもよい。
【００１８】
このようなツールバー構成情報提供サーバにおいて、ツールバー配置情報、又はツールバー構成情報に処理時刻、又は有効期間を設定することにより、ツールバーの利便性や機動性を向上させることができる。
【００１９】
また、上記の課題を解決するため、本発明は、請求項５に記載されるように、上記ツールバー構成情報は属性を持ち、上記ツールバー構成情報抽出手段は、上記利用者の属性とツールバー構成情報の属性によって選択抽出する構成としてもよい。
【００２０】
このようなツールバー構成情報提供サーバにおいて、利用者の属性とツールバー構成情報の属性によって選択抽出することにより、各利用者に対応したツールバーを提供することができる。
【００２１】
また、上記の課題を解決するため、本発明は、請求項６に記載されるように、ツールバー構成情報提供サーバと通信するＷｅｂブラウザプログラムにアドインするプログラムであって、ツールーバー配置情報、又は上記ツールバー構成情報提供サーバから受信したツールバー配置情報を基に、画面にツールバーを配置する手順と、上記ツールバー構成情報提供サーバから受信したツールバー構成情報で、当該ツールバーの表示位置に表示または指定された所在情報から情報を請求し、当該応答で受信した情報を所定の位置に表示するツールバー部分表示手順と、利用者により個々の上記ツールバー部分を選択指示された情報または、当該位置に入力された情報を当該ツールバー構成情報が指定した所在情報に送信する送信手順とを有する構成としてもよい。
【００２２】
このようなツールバー構成情報提供サーバーにより実行されるプログラムにおいて、ツールーバー配置情報、又はツールバー構成情報提供サーバから受信したツールバー配置情報を基に、画面にツールバーを配置し、ツールバー構成情報提供サーバから受信したツールバー構成情報で、ツールバーの表示位置に表示または指定された所在情報から情報を請求し、応答で受信した情報を所定の位置に表示し、利用者により個々のツールバー部分を選択指示された情報、又は所定位置に入力された情報をツールバー構成情報が指定した所在情報に送信することにより、ツールバーの利便性や機動性を向上させ、情報提供者が利用者を提供したい情報へ誘導し、たり電話による接触へと誘導し、また利用者が表示要求する情報の傾向などを把握することができる。
【００２３】
また、クライアントのツールバー表示プログラムには、ツールバー配置情報を持ち、ツールバー構成情報を受信し、記憶しておき、ツールバー表示及び、当該表示された各ツールバー表示及び当該表示された各ツールバー構成情報を選択又は入力された情報を当該ツールバー構成情報のリンク先に通知する。
【００２４】
また、上記の課題を解決するため、本発明は、請求項７に記載されるように、上記ツールバー部分表示手順は、上記ツールーバー配置情報、又は上記ツールバー構成情報に有効期間開始期日、又は有効期間終了期日の指定があるツールバー構成情報の有効期間を監視し、期間範囲内の場合、当該ツールーバー配置情報、又は当該ツールバー構成情報に指定した所在情報に更新情報を請求し、当該応答で受信した情報による画面の更新、又は当該ツールバー構成情報を更新する手順を有する構成としてもよい。
【００２５】
このようなツールバー構成情報提供サーバーにより実行されるプログラムにおいて、ツールーバー配置情報、又はツールバー構成情報に有効期間開始期日、又は有効期間終了期日の指定があるツールバー構成情報の有効期間を監視し、期間範囲内の場合、ツールーバー配置情報、又はツールバー構成情報に指定した所在情報に更新情報を請求し、応答で受信した情報による画面の更新、又はツールバー構成情報を更新することにより、ツールバーの利便性や機動性を向上させることができる。
【００２６】
また、上記の課題を解決するため、本発明は、請求項８に記載されるように、複数の情報と関連付けられたリンク情報で構成されるツールバーに関する情報を利用者端末へ提供するツールバー構成情報提供方法であって、上記利用者端末を利用する利用者の利用者識別ＩＤ、及び利用者の属性を管理する利用者情報管理手順と、上記利用者毎に表示するツールバー配置情報を管理する利用者ツールバー配置情報管理手順と、上記利用者毎の上記ツールバー配置情報の各部分情報を管理するツールバー構成情報管理手順と、上記利用者端末から上記利用者識別ＩＤを受信し、上記利用者ツールバー配置情報管理手順と上記ツールバー構成情報管理手順により管理された所定の上記ツールバー配置情報及び上記ツールバー構成情報を抽出するツールバー構成情報抽出手順と、上記ツールバー構成情報抽出手順で抽出された上記ツールバー配置情報及び上記ツールバー構成情報を当該利用者端末へ送信するツールバー構成情報送信手順とを有する構成としてもよい。
【００２７】
このようなツールバー構成情報提供方法において、利用者端末から利用者識別ＩＤを受信し、利用者ツールバー配置情報データベースとツールバー構成情報データベースからツールバー配置情報及びツールバー構成情報を抽出し、そのツールバー配置情報及びツールバー構成情報を利用者端末へ送信することにより、ツールバーの利便性や機動性を向上させ、情報提供者が利用者を提供したい情報へ誘導し、また利用者が表示要求する情報の傾向などを把握することができる。
【００２８】
また、上記の課題を解決するため、本発明は、請求項９に記載されるように、複数の情報と関連付けられたリンク情報で構成されるツールバーに関する情報を利用者端末へ提供するツールバー構成情報提供システムであって、上記利用者端末を利用する利用者の利用者識別ＩＤ、及び利用者の属性を記憶した利用者情報データベースと、上記利用者毎に表示するツールバー配置情報を記憶した利用者ツールバー配置情報データベースと、上記利用者毎の上記ツールバー配置情報の各部分情報を記憶したツールバー構成情報データベースと、上記利用者端末から上記利用者識別ＩＤを受信し、上記利用者ツールバー配置情報データベースと上記ツールバー構成情報データベースから上記ツールバー配置情報及び上記ツールバー構成情報を抽出するツールバー構成情報抽出手段と、上記ツールバー構成情報抽出手段で抽出された上記ツールバー配置情報及び上記ツールバー構成情報を当該利用者端末へ送信するツールバー構成情報送信手段とを有する構成とされる。
【００２９】
このようなツールバー構成情報提供システムにおいて、利用者端末から利用者識別ＩＤを受信し、利用者ツールバー配置情報データベースとツールバー構成情報データベースからツールバー配置情報及びツールバー構成情報を抽出し、そのツールバー配置情報及びツールバー構成情報を利用者端末へ送信することにより、ツールバーの利便性や機動性を向上させ、情報提供者が利用者を提供したい情報へ誘導し、また利用者が表示要求する情報の傾向などを把握することができる。
【００３０】
尚、利用者端末はＰＣなどの他、ネットワークに接続され表示装置を保有する地上波デジタル放送受像機等のデジタル家庭電器、カーナビゲーションシステム、ＰＤＡ（情報携帯端末）、携帯電話、一般電話、ＩＰ電話であってもよい。
【００３１】
また、上記課題を解決するため、本発明は、ツールバー構成情報提供サーバーでの処理を実行させるためのプログラムを格納した記録媒体とすることもできる。このようなＷｅｂブラウザのプラグインツールバー表示プログラムでも、ツールバー表示プログラムがブラウザに指示していくような構成にしてもよい。
【発明の効果】
【００３２】
本願発明によれば、利用者端末から利用者識別ＩＤを受信し、利用者ツールバー配置情報データベースとツールバー構成情報データベースからツールバー配置情報及びツールバー構成情報を抽出し、そのツールバー配置情報及びツールバー構成情報を利用者端末へ送信することにより、ツールバーの利便性や機動性を向上させ、情報提供者が利用者を提供したい情報へ誘導し、また利用者が表示要求する情報の傾向などを把握することができる。
【発明を実施するための最良の形態】
【００３３】
以下、本発明の実施の形態を図面に基づいて説明する。図１は、本発明の第１実施例に係るツールバー表示支援システムを示す構成図である。図１において、ツールバー表示支援システム１０は、ツールバー構成情報を利用者端末４０に提供し、ツールバーの表示等の処理を支援するシステムである。ツールバー表示支援システム１０は、利用者情報に基づいて作成したツールバーを管理するツールバー管理サーバー２０と、ツールバーに関連付けられた情報を提供する情報提供サーバー３０と、ツールバーを提供してＷｅｂブラウザ上で表示させる利用者端末４０とで構成されるシステムである。ツールバー管理サーバー２０と、情報提供サーバー３０、利用者端末４０は、インターネットなどのネットワーク１で接続されている。尚、ツールバーは、複数の情報と関連付けられたリンク情報（例えば、情報の所在地を示すＵＲＬやＩＰ電話番号など）で構成され、リンク情報には、他の情報をリンクさせて表示するリンク機能や、情報をスクロール表示させる表示機能や、キーワードにより所定の情報の検索を行う検索機能などを有する。このツールバーについては、図３で詳細に説明する。
【００３４】
尚、ツールバー管理サーバー２０から利用者端末４０にツールバーを提供する場合、所定のＷｅｂブラウザや、所定のサイトと共に提供したり、ツールバー単独で提供するようにしてもよい。また、ツールバー管理サーバー２０から利用者端末４０にツールバーを提供する場合、所定のＷｅｂブラウザや、メールソフト、メッセンジャーや通常のアプリケーションソフトに提供したり、ツールバー単独で提供するようにしてもよい。
【００３５】
ツールバー管理サーバー２０は、サーバーコンピュータであって、ＣＰＵ（中央処理装置）によって各構成が制御される。ＣＰＵは、メモリユニットに格納された本発明を実行するプログラムに従ってツールバー表示支援処理を行う。例えば、このツールバー表示支援処理を実行するまでの過程を以下に説明すると、ツールバー表示支援処理プログラムが記録された記録媒体（図示せず）から、ツールバー管理サーバー２０内蔵のインストーラにより読み出され、その読み出されたプログラムは、例えば、補助記憶装置等にインストールされる。そして、後述されるツールバー表示支援処理が起動されると、補助記憶装置にインストールされた当該プログラムに従って、ＣＰＵがその処理を開始する。尚、記録媒体は、ＣＤ−ＲＯＭなどプログラムが格納可能であり、コンピュータが読み取り可能な媒体であればよい。
【００３６】
ツールバー管理サーバー２０は、主に、ツールバーを利用する利用者の登録を行う利用者登録処理部２１と、ツールバーを利用する利用者の認証を行う認証処理部２２と、登録された利用者に関する利用者情報に基づいてツールバーを作成するツールバー作成処理部２３と、ツールバーに関する情報を提供するツールバー情報提供処理部２４と、利用者情報が格納された利用者情報ＤＢ２００と、ツールバーに関する情報が格納されたツールバー情報ＤＢ２１０とで構成されている。
【００３７】
利用者登録処理部２１は、登録用のサイトを介して利用者端末４０から利用者に関する利用者情報を受信し、利用者情報ＤＢ２００に格納して登録処理を行う。認証処理部２２は、利用者情報ＤＢ２００に格納された利用者情報に基づいて、ツールバーを利用する利用者の認証を行う。ツールバー作成処理部２３は、認証処理部２２の認証結果から、利用者情報ＤＢ２００に格納された利用者情報に基づいてツールバーを作成し、ツールバー情報ＤＢ２１０に格納する。ツールバー情報提供処理部２４は、ツールバーを作成するためのプログラムや、ツールバーの構成情報などを提供する。
【００３８】
以下にツールバー表示支援処理の流れを説明する。
【００３９】
先ず、利用者がツールバーを利用する場合、利用者端末４０からツールバーを使用するための登録用のサイトから、利用者情報が入力され、ツールバー管理サーバー２０へ送信される。ツールバー管理サーバー２０の利用者登録処理部２１は、受信した利用者情報を利用者情報ＤＢ２００へ格納し、利用者の登録処理を行う。同時に、ツールバー情報提供処理部２４は、ツールバーを作成するためのプログラムを利用者端末４０に提供する。また、ツールバー作成処理部２３は、認証処理部２２による認証結果により、ツールバー情報ＤＢ２１０に格納された利用者情報に基づいてツールバーを作成し、ツールバー情報ＤＢ２１０に格納する。
【００４０】
利用者端末４０は、ツールバー管理サーバー２０からダウンロードしたプログラムをインストールし、ツールバーを利用できる環境に設定する。この利用者端末４０から、ツールバー管理サーバー２０へツールバーの利用が要求された場合、認証処理部２２は利用者が登録済みで、ツールバーの使用が可能であるかを認証する。ツールバー情報提供処理部２４は、利用者が認証された場合、その利用者に対応するツールバーをツールバー情報ＤＢ２１０から抽出して、利用者端末４０に送信する。また、ツールバー情報提供処理部２４は、利用者端末４０から表示要求がある毎、又は一定期間経過後にツールバーを最新の情報に更新して送信する。
【００４１】
利用者端末４０には、ツールバー管理サーバー２０から提供されたツールバーが表示される。利用者端末４０に表示されたツールバーの何れかのリンク情報が選択されると、ツールバー管理サーバー２０に送信される。ツールバー管理サーバー２０のツールバー情報提供処理部２４は、選択されたリンク情報に関連付けられたコンテンツ情報を情報提供サーバー３０から取得して、利用者端末４０に提供する。このコンテンツ情報は、利用者端末４０により情報提供サーバー３０から直接取得し、選択したリンク情報のみをツールバー管理サーバー２０へ送信してもよい。
【００４２】
このように、ツールバー管理サーバー２０は、利用者情報に基づいてツールバーを作成してツールバー情報ＤＢ２１０に格納し、利用者端末４０にそのツールバーを提供することにより、ツールバーの利便性や機動性を向上させ、情報提供者が利用者を提供したい情報へ誘導し、利用者がツールバーから表示要求をした動向などを把握することができる。
【００４３】
尚、利用者端末４０にＷｅｂブラウザ上でツールバーを表示させる場合に限らず、利用者端末４０（ＰＣ）のデスクトップ画面上にツールバーを表示させるようにしてもよい。
【００４４】
次に、図１に示すツールバー管理サーバー２０の基本構成に、他の構成を加えた具体例について説明する。図２は、ツールバー管理サーバーの構成の具体例を示す図である。図２において、例えば、ツールバー管理サーバー２０のツールバー情報提供処理部２４は、ツールバー作成プログラムなどの関連情報を利用者端末４０に提供する関連情報提供処理部２５と、ツールバーを構成する情報を利用者端末４０に提供するツールバー構成情報提供処理部２６と、ツールバーのリンク情報に基づいて、情報提供サーバー３０から取得したコンテンツ情報を利用者端末４０へ提供するコンテンツ情報提供処理部２７とで構成される。また、ツールバー管理サーバー２８は、利用者がアクセスしたツールバーコンテンツの履歴情報を保存する利用状況ログＤＢ２６０を有し、ツールバー情報ＤＢ２１０は、利用者ツールバー情報が格納された利用者ツールバー配置情報ＤＢ２２０と、ツールバーを構成する情報が格納されたツールバー構成情報ＤＢ２３０と、管理者により設定され、ツールバーの各リンク情報の優先情報が格納された優先情報ＤＢ２４０と、利用者端末４０に提供するツールバー作成プログラムが格納されたツールバー作成プログラムＤＢ２５０とで構成されている。
【００４５】
尚、利用者情報ＤＢ２００に格納されるテーブルについては図４で、利用者ツールバー配置情報ＤＢ２２０に格納されるテーブルについては図５で、ツールバー構成情報ＤＢ２３０に格納されるテーブルについては図７で、優先情報ＤＢ２４０に格納されるテーブルについては図８で詳細に説明する。
【００４６】
このように、ツールバー管理サーバー２０の利用者ツールバー配置情報ＤＢ２２０、ツールバー構成情報ＤＢ２３０、優先情報ＤＢ２４０に格納された情報とに基づいてツールバーを作成し、利用者端末４０に作成したツールバーを提供することにより、ツールバーの利便性や機動性を向上させ、情報提供者が利用者を提供したい情報へ誘導し、利用者がツールバーから表示要求をした動向などを把握することができる。
【００４７】
尚、ツールバー管理サーバー２０において、ツールバー作成プログラムＤＢ２５０を省略する構成としてもよい。尚、利用者端末４０へツールバーが提供されるのは、サイトへ始めにログインした時、或いは利用者ＩＤを変更して使用可能になった時である。
【００４８】
次に、利用者端末４０に表示されるツールバーの構成について詳細に説明する。図３は、利用者端末に表示されるツールバーの構成を示す図である。図３において、ツールバー管理サーバー２０から提供され、利用者端末４０で表示されるツールバー４は、階層化されたメニューを表示させるロゴボタン４１、各情報とリンクさせるリンクボタン４２、上記情報の一部をスクロール表示させるインフォブラウザ４３、所定の情報を検索する機能を有する検索ボックス４４と検索ボタン４５とを示す項目（リンク情報）で構成されている。
【００４９】
ロゴボタン４１では、ツールバーの設定変更やその他の情報をリンクさせる複数のメニューが表示される。リンクボタン４２には、情報を容易に検索するためビットマップ画像が表示される。インフォブラウザ４３には、情報の一部がスクロール表示される。検索ボックス４４には、検索する情報のキーワードが入力され、検索ボタン４５をクリックすることにより所定の情報が検索される。
【００５０】
このように、利用者端末４０に上記ツールバー４を表示することにより、機動性、利便性に優れたツールバーを利用者に提供することができる。利用者にとっては、ツールバーに集約された情報を閲覧することができ、ツールバー管理側又は情報提供側にとっては、利用者に提供したい情報へ誘導させることができ、利用者がツールバーから表示要求をした動向などを把握することができる。
【００５１】
次に、利用者情報ＤＢ２００に格納されるテーブルについて説明する。図４は、利用者情報ＤＢに格納されるテーブルを示す図である。図４に示すテーブル２０１は、利用者端末４０から送信され、利用者登録処理部２１により登録された利用者情報を示している。テーブル２０１には、情報提供者の企業、サービスを一意に識別する企業ＩＤを示す項目と、利用者個人を識別する個人ＩＤを示す項目と、その利用者に割り振られたパスワードを示す項目と、企業内の所属を示す所属ＩＤを示す項目と、利用者の職位を示す職位ＩＤを示す項目と、担当職務ＩＤを示す項目と、その他の情報を示す項目とが格納されている。尚、企業ＩＤにおいて、学生、個人企業者等では、学校、職種、趣味、特定の集まりの名前等としてもよい。
【００５２】
利用者情報ＤＢ２００に格納されたテーブル２０１を用いることにより、利用者の認証を行うことができ、機動性や利便性に優れ、各利用者に適合したツールバーを作成することができる。
【００５３】
次に、利用者ツールバー配置情報ＤＢ２２０に格納されるテーブルについて説明する。図５は、利用者ツールバー配置情報ＤＢに格納されるテーブルを示す図である。図５に示すテーブル２２１は、ツールバー作成処理部２３により作成された利用者毎のツールバーを示している。テーブル２２１には、情報提供者の企業、サービスを一意に識別する企業ＩＤを示す項目と、利用者個人を識別する個人ＩＤを示す項目と、ツールバーを識別するためのツールバーＩＤを示す項目と、ツールバーのロゴボタンの表示に関する情報を示す項目と、ツールバーのリンクボタンの表示に関する情報を示す項目と、ツールバーのインフォブラウザの表示に関する情報を示す項目と、ツールバーの検索ボックスの表示に関する情報を示す項目と、ＩＰ電話番号、またはＩＰ電話番号を一意に識別する為の識別子情報に関連付けてコールバックさせるＩＰ電話コールバックボタンを示す項目と、利用者のＩＰ電話番号、またはＩＰ電話番号を一意に識別する為の識別子情報から着信先を呼び出すマイＩＰ電話ボタンを示す項目とが格納されている。尚、テーブル２２１内に格納されるツールバーの表示に関する情報について、「Ｙ」は、表示が必要であることを示し、「Ｎ」は、表示が無用であることを示し、「Ａ」は、表示が任意で設定可能であることを示している。
【００５４】
尚、上記ツールバーＩＤは、利用者ツールバー配置情報ＤＢ２２０の利用者識別ＩＤと同様であるとする。また、上記テーブル２２１内の項目ＩＤに、直接図を格納したり、その項目ＩＤを利用者ツールバー配置情報ＤＢ２２０に格納されるテーブルに格納して使用するようにしてもよい。
【００５５】
利用者テーブル情報ＤＢ２２０に格納されたテーブル２２１を用いることにより、機動性や利便性に優れ、各利用者に適合したツールバーを作成することができる。
【００５６】
次に、利用者ツールバー配置情報ＤＢ２２０に格納されるテーブルについて説明する。図６は、利用者ツールバー配置情報ＤＢに格納されるテーブルを示す図である。図６に示すテーブル２２２は、ツールバー作成処理部２３により作成されたツールバーの各構成を示している。テーブル２２２には、ツールバーの各構成情報名を示す項目と、各構成情報を識別するための項目ＩＤを示す項目とが格納されている。
【００５７】
利用者テーブル情報ＤＢ２２０に格納されたテーブル２２２を用いることにより、機動性や利便性に優れ、各利用者に適合したツールバーを作成することができる。
【００５８】
次に、ツールバー構成情報ＤＢ２３０に格納されるテーブルについて説明する。図７は、ツールバー構成情報ＤＢに格納されるテーブルを示す図である。図７に示すテーブル２３１は、ツールバー作成処理部２３により作成された利用者毎のツールバーの構成情報を示している。テーブル２３１には、情報提供者の企業、サービスを一意に識別する企業ＩＤを示す項目と、利用者個人を識別する個人ＩＤを示す項目と、ツールバーの項目を識別する項目ＩＤを示す項目と、ツールバーの属性を示す項目と、各情報のリンク先を示す項目と、ツールバーについての備考を示す項目とが格納されている。また、各情報の詳細データを示す項目には、情報の所在地を示すＵＲＬや、情報提供サーバーの連絡先（電話番号、携帯電話番号、又はＩＰ電話番号）などが格納されている。尚、上記テーブル２３１において、企業ＩＤの項目、個人ＩＤの項目を除いて運用するようにしてもよい。
【００５９】
ツールバー構成情報ＤＢ２３０に格納されたテーブル２３１を用いることにより、機動性や利便性に優れたツールバーを提供し、各利用者へツールバーに関連付けられた情報を提供することができる。
【００６０】
次に、優先情報ＤＢ２４０に格納されるテーブルについて説明する。図８は、優先情報ＤＢに格納されるテーブルを示す図である。図８に示すテーブル２４１は、ツールバー作成処理部２３により作成されたツールバーを構成するリンク情報の表示の優先情報を示している。テーブル２４１には、情報提供者の企業、サービスを一意に識別する企業ＩＤを示す項目と、ツールバーを識別するためのツールバーＩＤを示す項目と、ツールバーのロゴボタンの優先情報を示す項目と、ツールバーのリンクボタンの優先情報を示す項目と、ツールバーのインフォブラウザの優先情報を示す項目と、ツールバーの検索ボックスの優先情報を示す項目とが格納されている。
【００６１】
また、テーブル２４１内に格納される各リンク情報の優先情報は、数値が格納され、ツールバに左から表示される優先順序を示している。尚、優先情報として、優先して表示を行う「Ｙ」、表示を行わない「Ｎ」等のリンク情報を表示するか否かを示す情報を格納するようにしてもよい。
【００６２】
また、優先度が高い（数値が大きい）とは、所定の場所に近いほど優先度が高いものとする。例えば、ツールバーの表示の左側が一番高く、右へ行くほど優先度が低くなる、あるいは、インフォブラウザの位置が一番高く、それに遠くなるほど優先度が低くなることを示している。また、ツールバーの初期表示数が限られている場合（それ以外はその他を見るケース等）、その数値の限界で変更した時に優先度の意味を持たせるようにしてもよい。尚、ツールバーの各リンク情報において、同じ種類の情報である場合、優先度の高い情報を拡大表示させるようにしてもよい。尚、優先情報ＤＢ２４０に格納される優先情報のテーブル２４１を、利用者ツールバー配置情報ＤＢ２２０に格納するようにしてもよい。
【００６３】
優先情報ＤＢ２４０に格納されたテーブル２４１を用いることにより、情報提供者が利用者に提供したい情報へ誘導するツールバーを作成することができる。
【００６４】
次に、ツールバー管理サーバー２０で実行される初期処理について説明する。図９は、初期処理を示すフローチャート図である。図９において、先ず、ステップＳ１０の処理で、ツールバー管理サーバー２０の利用者登録処理部２１は、利用者端末４０から提供された利用者情報を利用者情報ＤＢ２００へ格納する。ステップＳ１１の処理で、認証処理部２２は、ツールバーの作成を行うため、利用者情報ＤＢ２００に格納された利用者情報に基づいて利用者を認証する。ステップＳ１２の処理で、ツールバー作成処理部２３は、認証結果により、利用者情報ＤＢ２００に格納された利用者情報に基づいてツールバーを作成する。ステップＳ１３の処理で、ツールバー作成処理部２３は、作成したツールバーを個人ＩＤ毎にツールバー情報ＤＢ２１０へ格納する。
【００６５】
このように、サーバー管理者が利用者情報ＤＢ２００に登録し、利用者情報に基づいて認証を行い、認証結果から企業内情報管理者、商品情報提供者等だけが、ツールバーを作成することにより、利用者情報と関連付けたツールバーを作成、管理することができる。従って、利用者が表示要求する情報の傾向などを把握することができる。
【００６６】
次に、利用者端末４０で実行されるツールバーダウンロード処理について説明する。図１０は、ツールバーダウンロード処理を示すフローチャート図である。図１０において、先ず、ステップＳ２０の処理で、利用者端末４０は、ネットワークを介してツールバー管理サーバー２０が管理するツールバーサイトにアクセスする。ステップＳ２１の処理で、利用者端末４０によりツールバーサイトから所定のツールバーが選択される。ステップＳ２２の処理で、利用者端末４０は、選択したツールバーの作成プログラムをツールバー管理サーバー２０からダウンロードし、利用者端末４０にインストールする。これにより、利用者端末４０は、ツールバーを利用できる環境となり、利用者端末４０からの要求に応じてツールバー管理サーバー２０からツールバーが提供される。
【００６７】
このように、利用者端末４０でツールバー作成プログラムをダウンロードしてインストールすることにより、利用者は、ツールバー管理サーバー２０から機動性、利便性に優れたツールバーを取得して利用することができる。
【００６８】
次に、ツールバー管理サーバー２０及び利用者端末４０で実行されるツールバー更新処理について説明する。図１１は、ツールバー更新処理を示すフローチャート図である。図１１において、先ず、ステップＳ３０の処理で、ツールバー管理サーバー２０のツールバー情報提供処理部２４は、利用者端末４０のＷｅｂブラウザ起動時にツールバーを更新して送信する。ステップＳ３１の処理で、利用者端末４０からログイン情報（利用者情報（ＰＩＤ：利用者毎のシステム識別子、認証情報：ＩＤ／ＰＷＤ、資格情報、認証先ＵＲＬなど））が入力される。ステップＳ３２の処理で、利用者端末４０は、入力された利用者情報とツールバー情報（ツールバーＩＤ）とをツールバー管理サーバー２０へ送信する。ステップＳ３３の処理で、ツールバー管理サーバー２０は、受信した利用者情報、ツールバー情報に基づいて、利用者端末４０へツールバー構成データを送信する。また、ステップＳ３４の処理で、ツールバー管理サーバー２０は、利用者端末４０へコンテンツ情報データを送信（インフォブラウザ用）する。ステップＳ３５の処理で、ツールバー管理サーバー２０は、利用者端末４０にツールバーに関する情報を提供してから一定時間経過後に、ツールバー構成データ、コンテンツ情報データを最新の情報に更新（インフォブラウザ用）して送信する。
【００６９】
またステップＳ３５の処理では、利用者端末で動作するプログラムが、ツールバーに関する情報を取得、表示してから一定時間経過後にツールバーの更新要求を送信し、ツールバー管理サーバー２０がツールバー構成データ、コンテンツ情報データの最新の情報を作成し送信することもできる。
【００７０】
このように、ツールバー管理サーバー２０は、利用者端末４０からの要求に応じてツールバー構成データ、コンテンツ情報データを提供することにより、利用者はツールバー管理サーバー２０から機動性、利便性に優れたツールバーを取得して利用することができる。また、ツールバーに関する情報を提供してから一定時間経過後に更新した情報を提供することにより、利用者は、ツールバーを用いて最新の情報を閲覧することができる。
【００７１】
次に、利用者端末４０で実行されるツールバー作成処理について説明する。図１２は、ツールバー作成処理を示すフローチャート図である。図１２において、先ず、ステップＳ４０の処理で、ツールバー管理サーバー２０のツールバー作成処理部２３は、利用者情報ＤＢ２００に格納された利用者情報を取得し、ツールバーを識別するためのＩＤを設定する。ステップＳ４１の処理で、ツールバー作成処理部２３は、ビットマップ画像や階層メニュー、アイコンメニューの追加を行い、ロゴボタンを作成する。ステップＳ４２の処理で、ツールバー作成処理部２３は、所定の情報の一部をスクロール表示させる設定を行い、インフォブラウザを作成する。ステップＳ４３の処理で、ツールバー作成処理部２３は、所定の情報を検索する検索ボックスを作成する。ステップＳ４４の処理で、ツールバー作成処理部２３は、各情報のＵＲＬなどを設定してリンクボタンを作成する。ステップＳ４５の処理で、ツールバー作成処理部２３は、利用者を認証するための認証情報を作成する。
ステップＳ４６の処理で、ツールバー作成処理部２３は、ツールバーの各リンク情報の属性情報を作成する。ステップＳ４７の処理で、ツールバー作成処理部２３は、ツールバーの各リンク情報の属性情報を作成する。ステップＳ４８の処理で、ツールバー作成処理部２３は、ツールバーをプレビューさせて設定を確認する。ステップＳ４９の処理で、ツールバー作成処理部２３は、管理者によりツールバーの各リンク情報が確認され、作成が完了したか否かを判断する。ステップＳ４９の処理で、管理者によりツールバーの各リンク情報の作成が完了した場合、ツールバー作成処理を終了する。ステップＳ４９の処理で、管理者によりツールバーの各リンク情報の作成が完了していない場合、ステップＳ４１からの処理を実行する。
【００７２】
このように、ツールバー管理サーバー２０のツールバー作成処理部２３は、利用者情報に基づいてツールバーの各リンク情報を作成することにより、ツールバーの利便性や機動性を向上させ、情報提供者が利用者に提供したい情報へ誘導することができる。
【００７３】
次に、ツールバー管理サーバー２０よりツールバーのアイコンを設定するための画面例について説明する。図１３は、ロゴボタンのアイコン指定画面を示す図である。図１３（Ａ）は、ロゴボタン作成画面４００を示し、図１３（Ｂ）は、アイコン指定画面４１０を示している。例えば、ロゴボタンを作成する場合、図１３（Ａ）に示すロゴボタン作成画面４００からアイコン参照ボタン４０５をクリックすると、図１３（Ｂ）に示すアイコン指定画面４１０が表示される。アイコン指定画面４１０からアイコン４１２を選択し、選択ボタン４１１を選択して各メニューのアイコンを設定する。
【００７４】
このように、アイコン指定画面４１０を用いることにより、利用者の目を惹くことができるロゴボタンのアイコンを設定することができる。
【００７５】
次に、ツールバー管理サーバー２０よりリンクボタンを作成するための画面例について説明する。図１４は、リンクボタン作成画面を示す図である。図１４に示すロゴボタン作成画面４２０は、リンクボタンの作成を実行するためのボタン４２１と、リンクボタンの編集を行う入力域４２２とが表示されている。また、入力域４２２では、テキスト、ヘルプ表示の設定、アイコンの設定、ボタンの種類（リンクする情報のＵＲＬ、ＵＲＬを表示するか、アプリケーションを起動するかの有無）などを設定する。尚アイコンの設定は、図１３に示す画面と同様であるため説明を省略する。
【００７６】
このように、リンクボタン作成画面４２０を用いることにより、効率的にツールバーのリンクボタンの詳細を設定することができる。
【００７７】
次に、ツールバー管理サーバー２０よりインフォブラウザを作成するための画面例について説明する。図１５は、インフォブラウザ作成画面を示す図である。図１５（Ａ）は、インフォブラウザ作成画面４３０を示し、図１５（Ｂ）は、コンテンツ追加画面４３５を示している。インフォブラウザ作成画面４３０には、インフォブラウザの作成を実行するためのボタン４３１と、インフォブラウザのコンテンツを選択する選択域４３２と、インフォブラウザの詳細を入力する入力域４３３と、が表示されている。このボタン４３１を選択すると、入力域４３２、４３３が表示される。また、入力域４３３では、インフォブラウザのコンテンツ名、スクロール方法などの詳細を設定する。例えば、インフォブラウザ作成画面を作成する場合、図１５（Ａ）に示すインフォブラウザ作成画面４３０の選択域４３２をクリックすると、図１５（Ｂ）に示すコンテンツ追加画面４３５が表示される。
【００７８】
図１５（Ｂ）に示すコンテンツ追加画面４３５には、コンテンツ名を入力する入力域４３６と、表示内容を選択する選択域４３７と、入力が完了した時に選択するＯＫボタン４３８と、コンテンツの追加をキャンセルするキャンセルボタン４３９とが表示される。コンテンツ追加画面４３５の入力域４３６にコンテンツ名を入力し、選択域４３７から表示内容等を選択して、ＯＫボタンを選択することにより、インフォブラウザのコンテンツが追加される。
【００７９】
このように、インフォブラウザ作成画面４３０を用いることにより、効率的にツールバーのインフォブラウザの詳細を設定することができる。
【００８０】
次に、ツールバー管理サーバー２０より検索ボックスを作成するための画面例について説明する。図１６は、検索ボックス作成画面を示す図である。図１６に示す検索ボックス作成画面４４１は、検索ボックスの作成を実行するためのボタン４４１と、検索ボックスの編集を行う入力域４４２とが表示されている。また、入力域４４２では、検索先のＵＲＬ、検索語句の送信方法などを設定する。
【００８１】
このように、検索ボックス作成画面４４１を用いることにより、効率的にツールバーの検索ボックスの詳細を設定することができる。
【００８２】
次に、ツールバー管理サーバー２０より認証情報を作成するための画面例について説明する。図１７は、認証情報設定画面を示す図である。図１７に示す認証情報設定画面４５０には、認証情報の詳細を設定するための表示域４５１、選択入力域４５２とが表示されている。表示域４５１には、ユーザーＩＤ（必須）、パスサード（必須）、入力方式、認証先、認証方法等の項目が表示されている。選択入力域４５２は、ユーザーＩＤ（必須）、パスワード（必須）に対して、記憶させる、記憶させないを選択する選択域が表示され、入力方式に対して、ポップアップ、ボックスを選択する選択域が表示され、認証先に対して、認証サーバーのアドレスを入力する入力域が表示され、認証方法に対して、基本認証、フォーム、ＬＤＡＰを選択する選択域が表示される。
【００８３】
このように、認証情報作成画面４５０を用いることにより、効率的にツールバーを提供するための認証情報の詳細を設定することができる。
【００８４】
次に、ツールバー管理サーバー２０より利用者情報を設定するための画面例について説明する。図１８は、利用者情報設定画面を示す図である。図１８に示す利用者情報設定画面４５５には、利用者情報の詳細を設定するための表示域４５６、選択域４５７とが表示されている。表示域４５６には、年齢、性別、住所、趣味・嗜好、電話番号１，２、認証情報を設定する項目が表示されている。選択域４５７は、年齢に対して、入力、選択、設定なしを選択する選択域が表示され、性別、住所、趣味・嗜好に対して、選択、設定なしを選択する選択域が表示され、電話番号１，２に対して、入力、設定なしを選択する選択域が表示され、認証情報に対して連携する、連携しないを選択する選択域が表示される。
【００８５】
このように、利用者情報設定画面４５５を用いることにより、効率的にツールバーを提供する利用者に関する情報の詳細を設定することができる。
【００８６】
次に、ツールバー管理サーバー２０よりツールバーの優先情報を設定するための画面例について説明する。図１９は、優先情報設定画面を示す図である。図１９に示す優先情報設定画面４６０には、優先情報の詳細を設定するための表示域４６１、選択域４６２とが表示されている。表示域４６１には、ロゴボタン、インフォブラウザ、検索ボックス、リンクボタン、認証情報等の項目が表示されている。選択域４６２は、ロゴボタン、インフォブラウザ、検索ボックス、リンクボタンに対して、優先、無用、任意を選択する選択域が表示され、認証情報に対して、連携する、連携しないを選択する選択域が表示される。
【００８７】
このように、優先情報設定画面４６０を用いることにより、効率的にツールバー提供のための認証情報の詳細を設定することができる。
【００８８】
従って、ツールバー表示支援システムにおいて、利用者端末からツールバーの表示要求を受信した場合、ツールバー情報データベースに格納された利用者に対応するツールバーを抽出し、抽出したツールバーを利用者端末に提供することにより、ツールバーの利便性や機動性を向上させ、情報提供者が利用者を提供したい情報へ誘導し、利用者が表示要求する動向などを把握することができる。
【００８９】
尚、上記ツールバー管理サーバー２０にＩＰ電話情報ＤＢを持たせ、ツールバーのリンク情報としてＩＰ電話情報を関連付けて、利用者端末４０（又は利用者端末４０に設置されたＩＰ電話）に提供するようにしてもよい。これにより、利用者端末４０（又はＩＰ電話）に表示されたツールバーから所定のＩＰ電話の呼び出し等の処理を行うことができる。
【００９０】
尚、ツールバーからツールバー管理サーバーにツールバー構成情報を要求しているが、ツールバー管理サーバーからツールバーにツールバー構成情報をプッシュ送信することも可能である。
【００９１】
ＳＯＡＰは、ＸＭＬ（ｅＸｔｅｎｓｉｂｌｅ  Ｍａｒｋｕｐ  Ｌａｎｇｕａｇｅ）とＨＴＴＰ（ＨｙｐｅｒＴｅｘｔ  Ｔｒａｎｓｆｅｒ  Ｐｒｏｔｏｃｏｌ）などをベースとした他のコンピュータにあるデータやサービスを呼び出すためのプロトコルである。このＳＯＡＰ通信では、ＸＭＬ文書に付帯情報が付いたメッセージをＨＴＴＰ等のプロトコルで交換するが、サービスを利用するクライアントと、サービスを提供するサーバの双方がＳＯＡＰの生成、解釈エンジンを持つことにより、異なった環境間でオブジェクト呼び出しを可能としている。
【００９２】
そして、例えば、利用者端末のツールバーにＳＯＡＰサーバー（Ｗｅｂサービス）機能を装備することで、別途準備されたＳＯＡＰクライアントが、ツールバー管理サーバーと連携することで、予めＷｅｂサービスとして関連付けられている利用者端末のツールバーに対して、利用者の属性が所定の条件時に、利用者ツールバー配置情報ＤＢとツールバー構成情報ＤＢから、当該利用者識別ＩＤの当該利用者ツールバー配置情報の一部と、特定のツールバー構成情報を所定のツールバー構成情報に置き換えて、ツールバー構成情報を送信することができ、利用者端末のツールバーを更新することができる。
【図面の簡単な説明】
【００９３】
【図１】本発明の第１実施例に係るツールバー表示支援システムを示す構成図である。
【図２】ツールバー管理サーバーの構成の具体例を示す図である。
【図３】利用者端末に表示されるツールバーの詳細を示す図である。
【図４】利用者情報ＤＢに格納されるテーブルを示す図である。
【図５】利用者ツールバー配置情報ＤＢに格納されるテーブルを示す図である。
【図６】利用者ツールバー配置情報ＤＢに格納されるテーブルを示す図である。
【図７】ツールバー構成情報ＤＢに格納されるテーブルを示す図である。
【図８】優先情報ＤＢに格納されるテーブルを示す図である。
【図９】初期処理を示すフローチャート図である。
【図１０】ツールバーダウンロード処理を示すフローチャート図である。
【図１１】ツールバー更新処理を示すフローチャート図である。
【図１２】ツールバー作成処理を示すフローチャート図である。
【図１３】ロゴボタンのアイコン指定画面を示す図である。
【図１４】リンクボタン作成画面を示す図である。
【図１５】インフォブラウザ作成画面を示す図である。
【図１６】検索ボックス作成画面を示す図である。
【図１７】認証情報設定画面を示す図である。
【図１８】利用者情報設定画面を示す図である。
【図１９】優先情報設定画面を示す図である。
【符号の説明】
【００９４】
１            ネットワーク
１０          ツールバー表示支援システム
２０          ツールバー管理サーバー
２１          利用者登録処理部
２２          認証処理部
２３          ツールバー作成処理部
２４          ツールバー情報提供処理部
２５          関連情報提供処理部
２６          ツールバー構成情報提供処理部
２７          コンテンツ情報提供処理部
３０          情報提供サーバー
４０          利用者端末
２００        利用者情報ＤＢ
２１０        ツールバー情報ＤＢ
２２０        利用者ツールバー配置情報ＤＢ
２３０        ツールバー構成情報ＤＢ
２５０        ツールバー作成プログラムＤＢ
２６０        利用状況ログＤＢ
【図１】
2005215781.tif 000003
【図２】
2005215781.tif 000004
【図３】
2005215781.tif 000005
【図４】
2005215781.tif 000006
【図５】
2005215781.tif 000007
【図６】
2005215781.tif 000008
【図７】
2005215781.tif 000009
【図８】
2005215781.tif 000010
【図９】
2005215781.tif 000011
【図１０】
2005215781.tif 000012
【図１１】
2005215781.tif 000013
【図１２】
2005215781.tif 000014
【図１３】
2005215781.tif 000015
【図１４】
2005215781.tif 000016
【図１５】
2005215781.tif 000017
【図１６】
2005215781.tif 000018
【図１７】
2005215781.tif 000019
【図１８】
2005215781.tif 000020
【図１９】
2005215781.tif 000021